(57)【要約】【課題】  シリンダー錠機構において、回転操作したシリンダーが開錠位置に、あるいは施錠位置に達したかどうかを確認できるように、錠機構の内部でクリックモーションを起こさせたり、シリンダーの操作終了時の位置を安定的に保持できるようにする。【構成】  シリンダーケース１に、ストッパー用タンブラー３を備えたシリンダー２を嵌装し、ストッパー用タンブラーに押上げばね４を付設し、このタンブラー３の外周に突出する掛止カム５を設ける一方、シリンダーケースの内周に、上記タンブラーの掛止カム５を施錠位置と開錠位置とに誘導する円弧形のガイド溝６を設け、ガイド溝の一端に掛止カムと係合する嵌合部７を設け、この嵌合部と掛止カムを前記シリンダーの施錠位置あるいは開錠位置において一致させて、押上げばねに付勢されるストッパー用タンブラーをシリンダーケースの内面に当接させてクリックモーションを生じさせるようにしたシリンダー錠機構。【選択図】    図２
2006257700.tif 000002
【特許請求の範囲】
【請求項１】
シリンダーケース内に、シリンダーと一体回転するストッパー用タンブラーを備えたシリンダーを嵌装したシリンダー錠機構において、前記ストッパー用タンブラーに押上げばねを付設してシリンダー内に昇降自在に備え、このタンブラーの外周に突出する掛止カムを設ける一方、前記シリンダーケースの内周に、上記タンブラーの掛止カムを施錠位置と開錠位置とに誘導する円弧形のガイド溝を設け、このガイド溝の一端に上記掛止カムと係合する嵌合部を設け、この嵌合部と上記掛止カムを前記シリンダーの施錠位置あるいは開錠位置において一致させて、押上げばねに付勢される上記ストッパー用タンブラーをシリンダーケースの内面に当接させてクリックモーションを生じさせるようにしたシリンダー錠機構。
【請求項２】
前記シリンダーケースは、前記ガイド溝の一端に前記嵌合部を設けるとともに、この嵌合部と適宜の間隔をおいてガイド溝の他側に第２の嵌合部を設ける一方、前記ストッパー用タンブラーは、その外周に、上記間隔に対応する間隔をおいて回転方向に沿って前後するように前記掛止カムを２個所に具え、上記ストッパー用タンブラーが開錠位置あるいは施錠位置に往復する場合に生ずる上記両嵌合部からの上記両掛止カムの脱出と、それにともなう上記タンブラーの昇降動作をそれぞれスムーズに行なわせるようにしたことを特徴とする請求項１記載のシリンダー錠機構。
【発明の詳細な説明】
【技術分野】
【０００１】
本発明は、例えばラッチ装置に備えるかんぬきを施錠する場合などに用いられるようにしたシリンダー錠機構に関し、シリンダー錠機構の内部で、開錠位置あるいは開錠位置においてクリックモーションを生じさせるようにしたことを特長とする。
【背景技術】
【０００２】
従来この種のシリンダー錠機構において、回転操作したシリンダーが開錠位置に、あるいは施錠位置に達したかどうかを確認できるように、錠機構の内部でクリックモーションを起こさせたり、シリンダーの操作終了時の位置を安定的に保持できるようにしたシリンダー錠機構には、たとえば特許文献１がある。
また、ラッチ錠に備えたかんぬきを施錠する場合などに用いられるようにしたシリンダー錠機構には、たとえば特許文献２の施錠装置のほかに、図３に示すように例示したラッチ装置がある。
【０００３】
【特許文献１】特開平１０−１９６１７６号公報（第１頁、図１参照）
【特許文献２】実開昭６０−１５５６７号公報（第１頁、第４図参照）
【発明の開示】
【発明が解決しようとする課題】
【０００４】
クリックモーションを生じさせる上記特許文献１のシリンダー錠機構とか、図３に示すように構成した従来のラッチ装置に用いるシリンダー錠機構は、例えば、シリンダーの内端に備えた回転レバーの側面を軸芯に向けて穿孔して、蹴り出しばねとともに鋼球を嵌装し、シリンダーの回転対偶面となるシリンダーケース側の内面に、上記鋼球と係合する縦溝を開錠位置あるいは開錠位置と施錠位置との２個所に設けることが必要になって、加工数と部品数が増し、コストアップにつながる欠点があった。
また、シリンダーの回転操作終了時の位置の保持が不十分の場合にはシリンダーに回転を生ずるおそれがあるなどの問題もあった。
このようなことから、本発明が解決しようとする課題は、たとえばラッチ装置などに備えられて、開錠時あるいは施錠時に、錠機構の内部でクリックモーションをしたり、シリンダーの回転操作終了時の位置を安定的に保持できるようにしたシリンダー錠機構を開発することが求められるようになった。
【課題を解決するための手段】
【０００５】
そこで本発明は、上記の課題を解決するために、シリンダーケース内に、シリンダーと一体回転するストッパー用タンブラーを備えたシリンダーを嵌装したシリンダー錠機構において、前記ストッパー用タンブラーに押上げばねを付設してシリンダー内に昇降自在に備え、このタンブラーの外周に掛止カムを突出させる一方、前記シリンダーケースの内周に、上記タンブラーの掛止カムを施錠位置と開錠位置とに誘導する円弧形のガイド溝を設け、このガイド溝の一端に上記掛止カムと係合する嵌合部を設け、この嵌合部と上記掛止カムを前記シリンダーの施錠位置あるいは開錠位置において一致させ、押上げばねに付勢される上記ストッパー用タンブラーをシリンダーケースの内面に当接させてクリックモーションを生じさせるようにしたシリンダー錠機構を提供するものである。
【発明の効果】
【０００６】
本発明シリンダー錠機構は、図１の右端図ａに示すように、ストッパー用タンブラーがガイド溝の一端（図示右端）の回転極限位置にあるとき、該タンブラーは掛止カムをガイド溝に当接させ、押上げばねを圧縮して下降状態にある。次いで同図図示左回りにシリンダーを回転する行程においては、掛止カムのリフトにしたがって該タンブラーは昇降しつつガイド溝の他端（図示左端）に至り、掛止カムをシリンダーケース側の施錠位置あるいは開錠位置の嵌合部に一致させ、押上げばねの付勢によりストッパー用タンブラーを上昇させ、該タンブラーの上縁をシリンダーケースの内面すなわちガイド溝の外周面に当接させてシリンダー錠機構内でクリックモーションを生じさせる。
上記のように構成した本発明シリンダー錠機構によれば、前記従来のシリンダー錠機構のような回転レバーの穿孔とか、蹴り出しばねと鋼球の嵌装とか、鋼球と係合する縦溝の形成等の加工と部品の使用を省くことができ、この種のシリンダー錠機構のコストダウンができる。以上のようにして本発明は前記の課題を解決したものである。
【発明を実施するための最良の形態】
【０００７】
シリンダーケース内に、シリンダーと一体回転するストッパー用タンブラーを備えたシリンダーを嵌装したシリンダー錠機構であって、
ストッパー用タンブラーに押上げばねを付設してシリンダー内に昇降自在に備え、このタンブラーの外周に掛止カムを突出させる。
シリンダーケースの内周に、上記タンブラーの掛止カムを施錠位置と開錠位置とに誘導する円弧形のガイド溝を設け、このガイド溝の一端に上記掛止カムと係合する嵌合部を設け、嵌合部の位置をシリンダーの施錠位置あるいは開錠位置とする。
上記嵌合部に掛止カムを一致させたときに、押上げばねに付勢される上記ストッパー用タンブラーを上昇させ、該タンブラーの上縁とシリンダーケースの内面との当接により、シリンダー錠機構内部にクリックモーションを生じさせるようにする。
また、上記シリンダーケースには、ガイド溝の一端に上記嵌合部を設けるとともに、この嵌合部と適宜の距離をおいてガイド溝の他側に第２の嵌合部を設ける。
一方、ストッパー用タンブラーには、その外周に、上記距離に対応する間隔をおいて回転方向に沿って前後するように前記掛止カムを２個所に具え、
２個所の掛止カムによって、上記ストッパー用タンブラーが開錠位置あるいは施錠位置に往復する場合に生ずる上記両嵌合部からの掛止カムの脱出と、それにともなう上記タンブラーの昇降動作をそれぞれスムーズに行なわせるようにしたシリンダー錠機構。
【実施例】
【０００８】
以下に本発明の実施例を図面について説明する。
図１は、本発明の実施例１に使用したストッパー用タンブラーの作動状態を分解して示す断面図、図２は、本発明の実施例２に使用したストッパー用タンブラーの作動状態を分解して示す断面図、図３は、従来のラッチ装置を説明する一部切欠断面図である。
【０００９】
図において、１は、シリンダーケース、２は、シリンダーケース１内に嵌装したシリンダー、３は、シリンダー２内に断面方向に沿って設けた偏平な溝２’に両側面を沿わせて昇降自在に嵌合し、一般的には、シリンダー２の内端に備えられてシリンダー２と一体回転する板状のストッパー用タンブラー、４は、ストッパー用タンブラー３の一側に備えた押上げばね、５は、ストッパー用タンブラー３の外周に突出する掛止カム、６は、この掛止カム５をストッパー用タンブラー３の開錠位置と施錠位置との間で誘導するようシリンダーケース１の内面に設けた円弧形のガイド溝、７は、ガイド溝６の一端（図示左端）に設けた嵌合部で、この実施例ではシリンダー２の開錠位置として使用し、ガイド溝６の他端（図示右端）を施錠位置として使用するようにしている。なお、図１中８は、この錠機構の中心に挿入したキーである。
【００１０】
図１に示す実施例１では、ストッパー用タンブラー３の外周に具える掛止カム５を同タンブラー３の外周の左端部のみに形成している。
実施例１を示す図１の右端図ａに示すように、タンブラー３の外周がガイド溝６の他端（図示右端）に位置している状態すなわち施錠位置にあるときは、掛止カム５の上端がガイド溝６の右端部と接してストッパー用タンブラー３は押し下げられた状態にある。
【００１１】
この施錠状態から開錠するために、キー８を介してシリンダー２を図示反時計回りに回転し、掛止カム５が図１の左端図ｅに示す開錠位置に至るまでのタンブラー３の回転行程の中で、ストッパー用タンブラー３は、ガイド溝６の外周形状に沿って昇降し、図示左端に設けた嵌合部７と一致した時点で押上げばね４の付勢によって上昇し、上昇したタンブラー３の外周がシリンダーケース１の内面、実施例においてはガイド溝６の外周面に衝突してクリックモーションを発生する。
【００１２】
図２に示す実施例２では、ストッパー用タンブラー３の外周に具える掛止カム５を同タンブラー３の外周の両端にそれぞれ形成して、シリンダー２の回転方向に沿って前後するように２個具えている。また、この２個の掛止カム５（５ａ、５ｂ）の間隔は、ガイド溝６の一端（図示左端）に設けた嵌合部７に隣接するガイド溝６の他側にシリンダーの回転方向に沿って適宜の幅に具えた柱状部９の幅を上回り、柱状部９の他側に形成した第２の嵌合部１０は比較的に幅広に形成されている。
【００１３】
上記のようにして外周に２個の掛止カム５を具えた実施例２のストッパー用タンブラー３は、掛止カム５（５ａ、５ｂ）を図２の右端図ａに示すように、ガイド溝６の他端（図示右端）に位置させている状態すなわち施錠位置にあるときは、一方の掛止カム５ｂのみがガイド溝６の他端に接していて該タンブラー３は施錠位置（図示右端）で押し下げられた状態にある。
【００１４】
キー８の開錠操作によりタンブラー３が開錠方向に反時計回りに回転する行程において、一方の掛止カム５ｂがガイド溝６の他端から外れない間に、回転方向の前位となる掛止カム５ａは柱状部９の裏面と接して、タンブラー３の押し下げ状態を保持している。
掛止カム５ａが柱状部９を通過すると、図２の左側図ｄ、ｅに示すように両掛止カム５（５ａ、５ｂ）は嵌合部７と第２の嵌合部１０にそれぞれ係合し、押上げばね４の圧縮が開放されるのにともなってストッパー用タンブラー３を上昇させ、押上げばね４に付勢させてタンブラー３の上縁を柱状部９の裏面（ガイド溝６の外周面）に衝突させてクリックモーションを生じさせる。
【００１５】
そして、掛止カム５（５ａ、５ｂ）が嵌合部（７、１０）と係合しているとき、このシリンダー錠機構は開錠状態にあると同時に、掛止カム５（５ａ、５ｂ）を柱状部９の両側に位置させることによってストッパー用タンブラー３とシリンダー２の妄動回転を阻止している。
なお、掛止カム５は、柱状部９を通過し易くするようにＲ面または斜面に形成されており、施錠動作あるいは開錠動作を終えたシリンダー２を一時的に静止し得るように形成することによって、ストッパー用タンブラー３にクリックモーションを行なわせるがキー８の操作には支障しないように設けられている。
【００１６】
従来のラッチ装置を説明する図３中、１１はシリンダーケース、１２はシリンダー、１３はストッパー用タンブラー、１４は回転レバー、１５は蹴り出しばね、１６は鋼球、１７は縦溝、１８はかんぬきである。
【産業上の利用可能性】
【００１７】
前記のように構成され上記のように作動するようにした本発明シリンダー錠機構は、ラッチ用以外にも一般使用のシリンダー錠機構に採用できる。また、実施例では板タンブラーを使用したがピンタンブラー方式のシリンダー錠機構にも適用できる。
【図面の簡単な説明】
【００１８】
【図１】図１（ａ、ｂ、ｃ、ｄ、ｅ）は、本発明の実施例１に使用したストッパー用タンブラーの作動状態を分解して示す断面図である。
【図２】図２（ａ、ｂ、ｃ、ｄ、ｅ）は、実施例２に使用したストッパー用タンブラーの作動状態を分解して示す断面図である。
【図３】図３は、従来のラッチ装置を説明する一部切欠断面図である。
【符号の説明】
【００１９】
１  シリンダーケース
２  シリンダー  （２’  偏平溝）
３  ストッパー用タンブラー
４  押上げばね
５  掛止カム（５ａ、５ｂ）
６  嵌合部
７  キー
８  錠前
９  柱状部
１０  第２の嵌合部
【図１】
2006257700.tif 000003
【図２】
2006257700.tif 000004
【図３】
2006257700.tif 000005